(57)【要約】      （修正有）【課題】容易に携行し、容易に収納し、簡単に操作する缶仕様モバイルバッテリーを提供する。【解決手段】缶仕様で設けられ、その中に収容空間１０が設けられるケース１と、収容空間内に垂直に設けられ、且つ槽と、容置ホルダーと、収容チャンバ２３が設けられる支柱２と、収容チャンバ内に設けられるバッテリーユニット３と、容置ホルダー内に設けられ、且つ制御スイッチを有するプリント基板と、プリント基板の頂側面の一側に設けられる少なくとも一つのポート５１を有する接続インターフェース５と、条状プリント基板と、外に発光してバッテリーユニットの現在の電荷容量を表示する通知用ＬＥＤとを有し、通知用ＬＥＤとケースとの間に、通知用ＬＥＤから発出する光線をガイドするための光ガイド部品６３が設けられる表示ユニット６と、外に光って照明するための照明ＬＥＤ７１を有する照明ユニット７とを備える。【選択図】図１
0003202037.tif 000002
【実用新案登録請求の範囲】
【請求項１】
ケースと、支柱と、バッテリーユニットと、プリント基板と、接続インターフェースと、表示ユニットと、照明ユニットとを備え、
当該ケースが、缶仕様で設けられ、中に収容空間が設けられ、
当該支柱が、当該収容空間内に垂直に設けられ、その一側に槽が垂直に設けられ、頂端に容置ホルダーが設けられ、且つ底端に収容チャンバが設けられ、当該槽には当該収容空間の外側に向う開け口を有し、
当該バッテリーユニットが、当該収容チャンバ内に垂直に設けられ、
当該プリント基板が当該容置ホルダー内に設けられ、且つ当該バッテリーユニットと電気的に連接し、頂側面の中央部に当該バッテリーユニットを制御して作動させるための制御スイッチが設けられ、
当該接続インターフェースには、当該プリント基板の頂側面の一側に設けられ、且つ一端が当該プリント基板と電気的に連接し、他の一端が当該収容空間外に露出される少なくとも一つのポートを有し、
当該表示ユニットには、当該槽内に設けられ、且つ当該プリント基板と連接しる条状プリント基板を有し、当該条状プリント基板の当該開け口に正対する側に、頂部から底部に一定間隔で並ばれて設けられ、且つ外に発光して当該バッテリーユニットの現在の電荷容量を表示する通知用LEDを有し、当該通知用LEDと当該ケースとの間に、当該通知用LEDから発出する光線をガイドするための光ガイド部品が設けられ、
当該照明ユニットには、当該プリント基板の頂側面の他の一側に設けられ、当該接続インターフェースと相対的に対応され、その一端が当該プリント基板と電気的に連接し、他の一端が当該収容空間の外に露出され、且つ外に光って照明するための照明LEDを備える、ことを特徴とする缶仕様モバイルバッテリー。
【請求項２】
前記ケースには、さらに缶の上蓋の形で設けられ、前記支柱頂端と螺接される蓋と、
当該蓋の底端に設けられ、その周縁が当該蓋の底部の周縁に対応して嵌接され、缶の形で設置される缶体と、
当該缶体の底端に設けられ、その周縁が当該缶体の底部の周縁に対応して嵌接され、缶の下蓋の形で設置され、且つ当該支柱の底端と螺接され、当該蓋と当該缶体と配合するようになり、前記収容空間を形成する底蓋とを備える、ことを特徴とする請求項1に記載の缶仕様モバイルバッテリー。
【請求項３】
前記ポートは、AタイプUSBポート、Micro USBポート、CタイプUSBポート、Mini USBポート、のうちの一つである、ことを特徴とする請求項2に記載の缶仕様モバイルバッテリー。
【請求項４】
前記蓋の前記制御スイッチに対応する位置に、さらに当該制御スイッチを容易に押すや制御するためのボタンが設けられ、
当該ボタンには、さらに一端が当該ボタンと連接し、他の一端が当該蓋の底側面と連接し、且つ当該ボタンの位置を決める及び回復力を提供するための片状弾性体を有する、ことを特徴とする請求項3に記載の缶仕様モバイルバッテリー。
【請求項５】
前記蓋の底側面に、さらに数個の前記片状弾性体が一定間隔で設けられ、且つ二個のナットが対称的に設けられ、当該片状弾性体の自由端が、前記プリント基板を支えるために使われ、当該ナットが前記支柱の頂端と螺接するために使われ、
前記開け口が前記光ガイド部品に対応する二個のより長い縁に、さらに互いに配合し、当該光ガイド部品の入り込んだ後の位置を決めるためのΓ字形ブロックが別々に一定間隔で設けられ、
前記容置ホルダーが当該ナットに対応する位置に、さらに頂部ネジ孔が別々に対応して設けられ、且つ当該容置ホルダーの内側面に、さらに当該頂部ネジ孔を起点として、当該プリント基板を支えるための数個のU字形突起ホルダーが等間隔で環設され、
前記収容チャンバには、さらに頂端が当該容置ホルダーの底側面の一側と連接される収容ホルダーと、当該収容ホルダーに対応して、且つ当該容置ホルダーの底側面の他の一側に位置される収容蓋とを有し、当該収容蓋が取外し式の設計であり、当該収容ホルダーと配合して連接して前記バッテリーユニットを収容するようになる、ことを特徴とする請求項4に記載の缶仕様モバイルバッテリー。
【請求項６】
前記プリント基板の縁が前記ナットに対応する位置に、さらに位置決めノッチが別々に対応して凹設され、
前記条状プリント基板が当該プリント基板と電気的に連接される位置に、さらに片状固定部が設けられ、
当該プリント基板が当該片状固定部に対応する位置に、さらに固定槽が設けられる、ことを特徴とする請求項5に記載の缶仕様モバイルバッテリー。
【請求項７】
前記光ガイド部品には、さらに透光板部と、数個の光ガイド柱とを有し、当該透光板部が前記Γ字形ブロックと配合し、前記開け口に装置され、当該光ガイド柱が当該透光板部に垂直に設けられ、当該缶体内壁面の一側の表面に近づき、別々に当該通知用LEDに対応する、ことを特徴とする請求項6に記載の缶仕様モバイルバッテリー。
【請求項８】
前記缶体の外壁面に、さらに図案や文字の保護層が設けられ、
当該保護層が各の前記光ガイド柱に対応する位置に、さらにインジケーターが設けられ、
当該缶体の外壁が当該光ガイド柱に向う位置に、さらに光線を透出するための陥凹部が設けられる、ことを特徴とする請求項7に記載の缶仕様モバイルバッテリー。
【請求項９】
前記蓋が各当該ボート、当該照明LED，及び当該ボタンに対応する位置に、さらに別々に開け孔が開設される、ことを特徴とする請求項8に記載の缶仕様モバイルバッテリー。
【請求項１０】
前記缶体の内壁面に、さらに垂直に設置する数個の位置決めリブ組みが一定間隔で環設され、当該位置決めリブ組みには、間隔を置いて設置される二個の直立リブと、各当該直立リブの自由端の縁と、当該収容チャンバを支える外壁面とを備え、当該支柱を設置するために使われ、
当該缶体の底側面に環状支え壁が設けられ、当該環状支え壁が前記底蓋及び当該支柱の螺接する位置に、さらにそれぞれに穿孔が設けられ、
当該バッテリーユニットには、さらに当該プリント基板と電気的に連接する少なくとも一つの高容量リチウムバッテリーを有する、ことを特徴とする請求項9に記載の缶仕様モバイルバッテリー。
【請求項１１】
前記環状支え壁が各前記高容量リチウムバッテリーに対応する位置に、さらに別々に弾性阻板が対応して設けられ、
当該弾性阻板には、弾性片体と、頂部支え柱とを有し、当該弾性片体の一端が当該環状支え壁と固接され、他の一端が当該頂部支え柱と連接され、当該頂部支え柱が当該高容量リチウムバッテリーの対応端を支えるために使われる、ことを特徴とする請求項10に記載の缶仕様モバイルバッテリー。
【考案の詳細な説明】
【技術分野】
【０００１】
本考案は、缶仕様モバイルバッテリーを関し、特に電子製品の備用電力及び緊急照明用の缶仕様モバイルバッテリーに関するものである。
【背景技術】
【０００２】
デジタル化時代の到来、科学技術の大幅な進歩、電子技術及びインターネット技術の発展が成熟することと共に、電子産業及びIT産業は素早く発展し、多くの電子製品が次々に開発され、例えばスマートフォン、タブレット、カメラなどの電子製品がよく応用され、現代人にとって既に欠けられないものになる。
【０００３】
しかし、電子製品を携行する需要を達成するため、製品内部によく充電式電池が設けられ、主な電源供給源として、でも科学技術の発展と共に、電子製品の効能も段々上げ、こうして、電子製品の電力消費量が相対的に増加され、電力消費が多くなり、耐久性が低いという問題が発生する。
【０００４】
従って、外出する時に、電子製品の電力がなくなり、電子製品が使えなくなる状況を防止するために、現在市場に業者はモバイルバッテリーを大量に供給し、まさかの時に準備するようになる。
【０００５】
但し、従来のモバイルバッテリーはただ予備電力を提供する機能を有するだけで、他の機能がなく、従来のモバイルバッテリーの実用性が低くなる。
【考案の概要】
【考案が解決しようとする課題】
【０００６】
そこで、上記の問題点に対して、単一の機能だけではなく、同時に容易に携行して応用する、容易に収納し、簡単に操作し、より容易に応用するようになる缶仕様モバイルバッテリーを提供することが本考案の課題となる。
【０００７】
本考案は、容易に携行し、容易に収納し、簡単に操作する缶仕様モバイルバッテリーを提供することを目的とする。
【課題を解決するための手段】
【０００８】
前記問題点を解決でき、上記目的を達成するために、本考案の缶仕様モバイルバッテリーは、ケースと、支柱と、バッテリーユニットと、プリント基板と、接続インターフェースと、表示ユニットと、照明ユニットとを備え、当該ケースが、缶仕様で設けられ、中に収容空間が設けられ、当該支柱が、当該収容空間内に垂直に設けられ、その一側に槽が垂直に設けられ、頂端に容置ホルダーが設けられ、且つ底端に収容チャンバが設けられ、当該槽には当該収容空間の外側に向う開け口を有し、当該バッテリーユニットが、当該収容チャンバ内に垂直に設けられ、当該プリント基板が当該容置ホルダー内に設けられ、且つ当該バッテリーユニットと電気的に連接し、頂側面の中央部に当該バッテリーユニットを制御して作動させるための制御スイッチが設けられ、当該接続インターフェースには、当該プリント基板の頂側面の一側に設けられ、且つ一端が当該プリント基板と電気的に連接し、他の一端が当該収容空間外に露出される少なくとも一つのポートを有し、当該表示ユニットには、当該槽内に設けられ、且つ当該プリント基板と連接しる条状プリント基板を有し、当該条状プリント基板の当該開け口に正対する側に、頂部から底部に一定間隔で並ばれて設けられ、且つ外に発光して当該バッテリーユニットの現在の電荷容量を表示する通知用LEDを有し、当該通知用LEDと当該ケースとの間に、当該通知用LEDから発出する光線をガイドするための光ガイド部品が設けられ、当該照明ユニットには、当該プリント基板の頂側面の他の一側に設けられ、当該接続インターフェースと相対的に対応され、その一端が当該プリント基板と電気的に連接し、他の一端が当該収容空間の外に露出され、且つ外に光って照明するための照明LEDを備える、ことを特徴とする缶仕様モバイルバッテリー。
【０００９】
前記ケースには、さらに缶の上蓋の形で設けられ、前記支柱頂端と螺接される蓋と、当該蓋の底端に設けられ、その周縁が当該蓋の底部の周縁に対応して嵌接され、缶の形で設置される缶体と、当該缶体の底端に設けられ、その周縁が当該缶体の底部の周縁に対応して嵌接され、缶の下蓋の形で設置され、且つ当該支柱の底端と螺接され、当該蓋と当該缶体と配合するようになり、前記収容空間を形成する底蓋とを備えることが好ましい。
【００１０】
前記ポートは下に列挙されたもの、AタイプUSBポート、Micro USBポート、CタイプUSBポート、Mini USBポート、のうちの一つであることが好ましい。
【００１１】
前記蓋の前記制御スイッチに対応する位置に、さらに当該制御スイッチを容易に押すや制御するためのボタンが設けられ、当該ボタンには、さらに一端が当該ボタンと連接し、他の一端が当該蓋の底側面と連接し、且つ当該ボタンの位置を決める及び回復力を提供するための片状弾性体を有することが好ましい。
【００１２】
前記蓋の底側面に、さらに数個の前記片状弾性体が一定間隔で設けられ、且つ二個のナットが対称的に設けられ、当該片状弾性体の自由端が、前記プリント基板を支えるために使われ、当該ナットが前記支柱の頂端と螺接するために使われ、前記開け口が前記光ガイド部品に対応する二個のより長い縁に、さらに互いに配合し、当該光ガイド部品の入り込んだ後の位置を決めるためのΓ字形ブロックが別々に一定間隔で設けられ、前記容置ホルダーが当該ナットに対応する位置に、さらに頂部ネジ孔が別々に対応して設けられ、且つ当該容置ホルダーの内側面に、さらに当該頂部ネジ孔を起点として、当該プリント基板を支えるための数個のU字形突起ホルダーが等間隔で環設され、前記収容チャンバには、さらに頂端が当該容置ホルダーの底側面の一側と連接される収容ホルダーと、当該収容ホルダーに対応して、且つ当該容置ホルダーの底側面の他の一側に位置される収容蓋とを有し、当該収容蓋が取外し式の設計であり、当該収容ホルダーと配合して連接して前記バッテリーユニットを収容するようになることが好ましい。
【００１３】
前記プリント基板の縁が前記ナットに対応する位置に、さらに位置決めノッチが別々に対応して凹設され、前記条状プリント基板が当該プリント基板と電気的に連接される位置に、さらに片状固定部が設けられ、当該プリント基板が当該片状固定部に対応する位置に、さらに固定槽が設けられることが好ましい。
【００１４】
前記光ガイド部品には、さらに透光板部と、数個の光ガイド柱とを有し、当該透光板部が前記Γ字形ブロックと配合し、前記開け口に装置され、当該光ガイド柱が当該透光板部に垂直に設けられ、当該缶体内壁面の一側の表面に近づき、別々に当該通知用LEDに対応することが好ましい。
【００１５】
前記缶体の外壁面に、さらに図案や文字の保護層が設けられ、当該保護層が各の前記光ガイド柱に対応する位置に、さらにインジケーターが設けられ、当該缶体の外壁が当該光ガイド柱に向う位置に、さらに光線を透出するための陥凹部が設けられることが好ましい。
【００１６】
前記蓋が各当該ボート、当該照明LED，及び当該ボタンに対応する位置に、さらに別々に開け孔が開設されることが好ましい。
【００１７】
前記缶体の内壁面に、さらに垂直に設置する数個の位置決めリブ組みが一定間隔で環設され、当該位置決めリブ組みには、間隔を置いて設置される二個の直立リブと、各当該直立リブの自由端の縁と、当該収容チャンバを支える外壁面とを備え、当該支柱を設置するために使われ、当該缶体の底側面に環状支え壁が設けられ、当該環状支え壁が前記底蓋及び当該支柱の螺接する位置に、さらにそれぞれに穿孔が設けられ、当該バッテリーユニットには、さらに当該プリント基板と電気的に連接する少なくとも一つの高容量リチウムバッテリーを有することが好ましい。
【００１８】
前記環状支え壁が各前記高容量リチウムバッテリーに対応する位置に、さらに別々に弾性阻板が対応して設けられ、当該弾性阻板には、弾性片体と、頂部支え柱とを有し、当該弾性片体の一端が当該環状支え壁と固接され、他の一端が当該頂部支え柱と連接され、当該頂部支え柱が当該高容量リチウムバッテリーの対応端を支えるために使われることが好ましい。
【考案の効果】
【００１９】
本考案は、従来の技術と比べて、次に列挙する効果がある。
【００２０】
1.上述した技術を使用するので、現有のモバイルバッテリーと比べ、本考案に、LEDが発光源として採用され、現有のモバイルバッテリーによりさらに多元化の機能が提供され、本考案がさらに実用的になる。
【００２１】
2. ケースが常用の缶の設計と結合され、ケースの外見がおしゃれで設計が特別であり、且つ機能が実用であり、容易に携行して応用するようになる。
【００２２】
3.インターフェイスで、容易に応用する効果が達成され、充電放電の操作が簡単であり、電子製品の充電用に提供でき、表示用LEDの応用で、電力残量が容易に表示される。
【図面の簡単な説明】
【００２３】
【図１】：本考案を示す斜視図
【図２】：本考案を示す斜視分解図
【図３】：本考案の図2のＡ部分を示す斜視分解図
【図４】：本考案を示す断面図
【図５】：本考案のケースを示す断面図
【図６】：本考案をモバイルバッテリーとして使う実施状態を示す図
【図７】：本考案の充電中の実施状態を示す図
【図８】：本考案を照明装置として使う実施状態を示す図
【考案を実施するための形態】
【００２４】
以下、本考案の実施の形態について、図面を参照して詳細に説明する。
【００２５】
図1乃至図8に示すように、本考案の缶仕様モバイルバッテリー100は、ケース1と、支柱2と、バッテリーユニット3と、プリント基板4と、接続インターフェース5と、表示ユニット6と、照明ユニット7とを備え、当該ケース1が、缶仕様で設けられ、中に収容空間10が設けられ、当該支柱2が、当該収容空間10内に垂直に設けられ、その一側に槽21が垂直に設けられ、頂端に容置ホルダー22が設けられ、且つ底端に収容チャンバ23が設けられ、当該槽21には当該収容空間10の外側に向う開け口211を有し、当該バッテリーユニット3が、当該収容チャンバ23内に垂直に設けられ、当該プリント基板4が当該容置ホルダー22内に設けられ、且つ当該バッテリーユニット3と電気的に連接し、頂側面の中央部に当該バッテリーユニット3を制御して作動させるための制御スイッチ41が設けられ、当該接続インターフェース5には、当該プリント基板4の頂側面の一側に設けられ、且つ一端が当該プリント基板4と電気的に連接し、他の一端が当該収容空間10外に露出される少なくとも一つのポート51を有し、当該表示ユニット6には、当該槽21内に設けられ、且つ当該プリント基板4と連接しる条状プリント基板61を有し、当該条状プリント基板61の当該開け口211に正対する側に、頂部から底部に一定間隔で並ばれて設けられ、且つ外に発光して当該バッテリーユニット3の現在の電荷容量を表示する通知用LED62を有し、当該通知用LED62と当該ケース1との間に、当該通知用LED62から発出する光線をガイドするための光ガイド部品63が設けられ、当該照明ユニット7には、当該プリント基板4の頂側面の他の一側に設けられ、当該接続インターフェース5と相対的に対応され、その一端が当該プリント基板4と電気的に連接し、他の一端が当該収容空間10の外に露出され、且つ外に光って照明するための照明LED71を備える、ことを特徴とする。
【００２６】
その中に、モバイルバッテリーが普通に旅行、出張などの戸外運動の場合に使われ、そして戸外運動に、照明器具が不可欠であり、でも、懐中電灯を携行すれば、使用コストが増加するだけではなく、余分な負担も増加し、且つ本考案の前記缶仕様モバイルバッテリー100に、前記照明ユニット7がモバイルバッテリーと結合され、使用者の負担が下げられ、さらにより長い時間の照明が提供され、同時に前記ケース1の応用で、また常用の缶の設計と結合され、ケースの外見がおしゃれで設計が特別であり、同時に充電放電の操作が簡単であり、且つ機能が実用であり、容易に携行するようになる。
【００２７】
また、前記支架体2の応用で、前記電池ユニット3と前記電路4が固定され、モジュール化の設計で、生産及び整備が容易になり、且つ不良率が低くなる。
【００２８】
なお、前記接続インターフェース5の応用で、充電放電の操作が便利になる効果が達成され、本考案の使用がさらに簡単で便利になり、また、前記表示ユニット6の前記標示LED62が光ガイド部品と配合され、電力残量が有効に表示され、使用者は充電のタイミングを決めることが容易になる。
【００２９】
前記ケース1には、さらに缶の上蓋の形で設けられ、前記支柱2頂端と螺接される蓋11と、当該蓋11の底端に設けられ、その周縁が当該蓋11の底部の周縁に対応して嵌接され、缶の形で設置される缶体12と、当該缶体12の底端に設けられ、その周縁が当該缶体12の底部の周縁に対応して嵌接され、缶の下蓋の形で設置され、且つ当該支柱2の底端と螺接され、当該蓋11と当該缶体12と配合するようになり、前記収容空間10を形成する底蓋13とを備える。
【００３０】
その中に、前記蓋11と、前記缶体12と、前記底蓋13との配合で、前記ケース1が容易に組み立てられ、生産され、同時に缶の形が完璧に表現され、使用者は容易に携行して応用するようになる。
【００３１】
また、前記支架体2と配合して応用することで、当該支架体2が前記蓋と前記底蓋との橋として使われ、容易に装置されることだけではなく、当該蓋と、前記缶体と、当該底蓋が有効に組まれ、当該蓋と当該底蓋は容易に分離するようになる問題が発生することを心配する必要がない。
【００３２】
前記ポート51は下に列挙されたもの、AタイプUSBポート51A、Micro USBポート51B、CタイプUSBポート、Mini USBポート、のうちの一つである。
【００３３】
その中に、現下の電子製品によって、現下の使用者の応用習慣に配合して、不同なボート51に配合する必要があり、使用者は容易に応用し、使えないことが発生すること心配する必要がない。
【００３４】
また、各ボート51の中に、AタイプUSBポート51A及びMicro USBポート51Bと配合する電子製品が最も多く、よりよい二つの選択である。
【００３５】
前記蓋11の前記制御スイッチ41に対応する位置に、さらに当該制御スイッチ41を容易に押すや制御するためのボタン8が設けられ、当該ボタン8には、さらに一端が当該ボタン8と連接し、他の一端が当該蓋11の底側面と連接し、且つ当該ボタン8の位置を決める及び回復力を提供するための片状弾性体81を有する。
【００３６】
その中に、前記ボタン8が前記弾性片状体81と配合して応用されることで、当該片状弾性体81に充分の回弾力が提供される以外、さらに容易に組み立てられるようになり、使用者は当該ボタン8を押す時に、過度の揺動が発生され、前記制御スイッチ41の制御まで影響されることがない。
【００３７】
前記蓋11の底側面に、さらに数個の前記片状弾性体111が一定間隔で設けられ、且つ二個のナット112が対称的に設けられ、当該片状弾性体111の自由端が、前記プリント基板4を支えるために使われ、当該ナット112が前記支柱2の頂端と螺接するために使われ、前記開け口211が前記光ガイド部品63に対応する二個のより長い縁に、さらに互いに配合し、当該光ガイド部品63の入り込んだ後の位置を決めるためのΓ字形ブロック212が別々に一定間隔で設けられ、前記容置ホルダー22が当該ナット112に対応する位置に、さらに頂部ネジ孔221が別々に対応して設けられ、且つ当該容置ホルダー22の内側面に、さらに当該頂部ネジ孔221を起点として、当該プリント基板4を支えるための数個のU字形突起ホルダー222が等間隔で環設され、前記収容チャンバ23には、さらに頂端が当該容置ホルダー22の底側面の一側と連接される収容ホルダー231と、当該収容ホルダー231に対応して、且つ当該容置ホルダー22の底側面の他の一側に位置される収容蓋232とを有し、当該収容蓋232が取外し式の設計であり、当該収容ホルダー231と配合して連接して前記バッテリーユニット3を収容するようになる。
【００３８】
その中に、前記位置決め片111の応用で、前記プリント基板4が有効に位置決めされ、揺れることで当該プリント基板4が変位されることが防止され、全体の抗震能力が高まり、前記ナット112の応用で、前記頂部ネジ孔221と配合し、前記蓋11及び前記支架体2が安定に配合される。
【００３９】
また、前記U字形突起ホルダー222の応用で、前記位置決め片111と配合し、前記プリント基板が有効に固定され、当該プリント基板が安定に前記容置ホルダー22内に位置決めされる。
【００４０】
なお、前記収容ホルダー231と前記収容蓋232との配合で、前記バッテリーユニットが容易に収容され、モジュール化の設計で、生産及び整備が容易になり、業者の需要によって、当該バッテリーユニットが変更され、製品の使用期限が延長され、さらに多元化の製品が提供されるようになり、消費者は選択して応用するようになる。
【００４１】
前記プリント基板4の縁が前記ナット112に対応する位置に、さらに位置決めノッチ42が別々に対応して凹設され、前記条状プリント基板611が当該プリント基板4と電気的に連接される位置に、さらに片状固定部611が設けられ、当該プリント基板4が当該片状固定部611に対応する位置に、さらに固定槽43が設けられる。
【００４２】
その中に、前記位置決めノッチ42の応用で、前記プリント基板4がある程度のポカヨケ及び旋転防止能力を有するようになる。
【００４３】
また、前記条状プリント基板61が前記片状固定部及び前記プリント基板4で前記固定槽43を固定して互いに配合され、モジュール化の設計で、組み立ての難易度及び故障率が低くなり、容易に整備するようになる。
【００４４】
前記光ガイド部品63には、さらに透光板部631と、数個の光ガイド柱632とを有し、当該透光板部631が前記Γ字形ブロック212と配合し、前記開け口211に装置され、当該光ガイド柱632が当該透光板部631に垂直に設けられ、当該缶体12内壁面の一側の表面に近づき、別々に当該通知用LED62に対応する。
【００４５】
その中に、前記透光板部631を設置することで、光ガイド及び設置することが容易になり、前記光ガイド柱632の応用で、LEDの光がさらに標的に外部に引けられ、こうして、発光効果のためにLEDの仕事率を増加する必要がなく、全体的に運転する電力消費量が低くなり、無意味な電力消費が防止される。
【００４６】
前記缶体12の外壁面に、さらに図案や文字の保護層121が設けられ、当該保護層121が各の前記光ガイド柱632に対応する位置に、さらにインジケーター1211が設けられ、当該缶体12の外壁が当該光ガイド柱632に向う位置に、さらに光線を透出するための陥凹部122が設けられる。
【００４７】
その中に、前記保護層121の応用で、本考案の前記缶仕様モバイルバッテリー100の外観が、さらに華麗になり、同時に本物の缶と区別するようにされ、使用者の誤操作で、本考案の当該缶仕様モバイルバッテリー100が損壊されることが防止される。
【００４８】
また、前記インジケーター1211の応用で、前記光ガイド柱632で引けられて漏れられる前記通知用LED62の光線と配合され、使用者は素早くて直感的に本考案の前記缶仕様モバイルバッテリー100の電力残量をわかるようになる。
【００４９】
なお、前記陥凹部122が前記光ガイド部品63と配合されることで、前記通知用LED62の光が、さらに容易に前記缶体12の壁面から漏れられ、使用者は本考案の前記缶仕様モバイルバッテリー100の蓄電の状況を素早くて明確にわかるようになり、同時に内部部品の状況が見られることが発生しなく、本考案の当該缶仕様モバイルバッテリー100のイメージの美しさが有効に保持される。
【００５０】
前記蓋11が各当該ボート51、当該照明LED71，及び当該ボタン8に対応する位置に、さらに別々に開け孔113が開設される。
【００５１】
その中に、前記開け孔113の設置で、前記ボート51が容易に給電の必要がある電子製品や充電する設備と連接され、使用者は容易に応用するようになり、同時に照明LEDが外に発光されることで順調に照明し、さらに前記ボタン8が容易に押して使用される。
【００５２】
前記缶体12の内壁面に、さらに垂直に設置する数個の位置決めリブ組み123が一定間隔で環設され、当該位置決めリブ組み123には、間隔を置いて設置される二個の直立リブ1231と、各当該直立リブ1231の自由端の縁と、当該収容チャンバ23を支える外壁面とを備え、当該支柱2を設置するために使われ、当該缶体12の底側面に環状支え壁124が設けられ、当該環状支え壁124が前記底蓋13及び当該支柱2の螺接する位置に、さらにそれぞれに穿孔1241が設けられ、当該バッテリーユニット3には、さらに当該プリント基板4と電気的に連接する少なくとも一つの高容量リチウムバッテリー31を有する。
【００５３】
その中に、前記位置決めリブ組み123の前記直立リブ1231の応用で、前記支柱2が有効に位置決めされ、容易に設置されることだけではなく、さらに当該支柱2が揺れることで当該支柱2の振れが発生することが有効に防止され、さらに容易に設置されるようになり、ある程度のポカヨケの効果を有する。
【００５４】
また、前記環状支え壁124と前記穿孔1241との配合で、前記支柱2が容易に位置決めされ、同時に前記底蓋13と当該支柱2との螺接が容易になり、組み立てが簡単で便利になる。
【００５５】
なお、前記高容量リチウムバッテリー31の応用で、ある程度の値段で、充分の電力及び使用期限が提供されるようになり、安全性が充分であり、且つ空間を占めないようになり、重量が重過ぎる問題がなく、容易に携行するようになる。
【００５６】
前記環状支え壁124が各前記高容量リチウムバッテリー31に対応する位置に、さらに別々に弾性阻板125が対応して設けられ、当該弾性阻板125には、弾性片体1251と、頂部支え柱1252とを有し、当該弾性片体1251の一端が当該環状支え壁124と固接され、他の一端が当該頂部支え柱1252と連接され、当該頂部支え柱1252が当該高容量リチウムバッテリー31の対応端を支えるために使われる。
【００５７】
その中に、前記弾性片体1251の応用で、当該弾性片体1251と頂部支え柱1252との配合で、組み立てる時に大きすぎの定位圧力で前記バッテリーユニット3が迫られ、当該バッテリーユニット3の全体性が影響されることが防止され、使用者は安全に安心して本考案を使用するようになる。
【００５８】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００５９】
1     ケース                     231  収容ホルダー
11    蓋                         232  収容蓋
111   位置決め片                 3    バッテリーユニット
112   ナット                     31   高容量リチウムバッテリー
113   開け孔                     4    プリント基板
12    缶体                       41   制御スイッチ
121   保護層                     42   位置決めノッチ
1211  インジケーター             43   固定槽
122   陥凹部                     5    接続インターフェース
123   位置決めリブ組み           51   ポート
1231  直立リブ                   51A  AタイプUSBポート
124   環状支え壁                 51B  Micro USBポート
1241  穿孔                       6    表示ユニット
125   弾性阻板                   61   条状プリント基板
1251  弾性片体                   611  片状固定部
1252  頂部支え柱                 62   通知用LED
13    底蓋                       63   光ガイド部品
2     支柱                       631  透光板部
21    槽                         632  光ガイド柱
211   開け口                     7    照明ユニット
212   Γ字形ブロック             71   照明LED
22    容置ホルダー               8    ボタン
221   頂部ネジ孔                 81   片状弾性体
222   U字形突起ホルダー          10   収容空間
23    収容チャンバ               100  缶仕様モバイルバッテリー
【図１】
0003202037.tif 000003
【図２】
0003202037.tif 000004
【図３】
0003202037.tif 000005
【図４】
0003202037.tif 000006
【図５】
0003202037.tif 000007
【図６】
0003202037.tif 000008
【図７】
0003202037.tif 000009
【図８】
0003202037.tif 000010